(57)【要約】【課題】安価で且つ槽の性能を低下させることのない、第一槽以外の好気性濾床槽に用いる濾材を提供する。【解決手段】濾材１１は、中空截頭円錐形状の濾材本体１２と、濾材本体１２の中空部に形成されて濾材本体１２同士が嵌り合うのを防止するストッパ１３を備え、直列配置された複数の槽を備えた嫌気性濾床槽の第一槽以外の槽内に充填されるようにした。【選択図】　　　　図１
2004050126.tif 000002
【特許請求の範囲】
【請求項１】
中空截頭円錐形状の濾材本体と、該濾材本体の中空部に形成されて濾材本体同士が嵌り合うのを防止するストッパを備え、直列配置された複数の槽を備えた嫌気性濾床槽の第一槽以外の槽に充填されるよう構成したことを特徴とする濾材。
【請求項２】
濾材本体には被処理水が流通し得るよう孔が形成された請求項１に記載の濾材。
【請求項３】
射出成形により形成した請求項１又は２に記載の濾材。
【発明の詳細な説明】
【０００１】
【発明の属する技術分野】
本発明は有機性廃水処理設備の複数の嫌気性濾床槽のうち、第一槽以外の槽に使用し得るようにした濾材に関するものである。
【０００２】
【従来の技術】
嫌気性濾床槽を使用した従来の有機性廃水処理設備としては、図４のフローシートに示すごときものがある。図中、１はスクリーンで前処理された廃水であり、廃水１は２ａ，２ｂの二つの槽に分割された嫌気性濾床槽２に順次導入される。前段階の槽２ａには、比較的大きな円筒形濾材或は皿状の濾材が充填されている。廃水１は先ず前段階の槽２ａの下部に導入され、上向流で濾材と接触して処理され、ＳＳの粗取りと可溶化が行われた後、槽上部に設けられた管路により後段階の槽２ｂに移流される。
【０００３】
後段階の槽２ｂには、図５に示すような小型円筒形で表面が波形状の多数の濾材３が充填されており、ＳＳの除去及び嫌気性菌による分解処理が行われる。嫌気的処理を施された処理水は粒状媒体等が充填された好気性濾床槽４に導入される。好気性濾床槽４にはブロワにから曝気空気が送給される。而して、好気性濾床槽４で好気性微生物により処理された処理水は処理水槽５及び滅菌槽６を通って放流水７として排出される。
【０００４】
【発明が解決しようとする課題】
上述の濾材３は電気工事用材料であるＣＤ管に所定ピッチで穴３ａを設けると共に、所定長さに切断することにより製作しているが、ＣＤ管は購入品であるため高価である。又ＣＤ管表面の波形状部には、槽２ｂで廃水処理する際に発生するガスが滞留して濾材３が浮上する虞があり、濾材３の浮上により、槽２ｂの性能が低下する虞がある。
【０００５】
本発明は、斯かる実情に鑑み、安価で且つ槽の性能を低下させることのない、第一槽以外の好気性濾床槽に用いる濾材を提供することを目的としてなしたものである。
【０００６】
【課題を解決するための手段】
請求項１の濾材は、中空截頭円錐形状の濾材本体と、該濾材本体の中空部に形成されて濾材本体同士が嵌り合うのを防止するストッパを備え、直列配置された複数の槽を備えた嫌気性濾床槽の第一槽以外の槽に充填されるよう構成したものである。
【０００７】
請求項２の濾材においては、濾材本体には被処理水が流通し得るよう孔が形成されており、請求項３の濾材は射出成形により形成されている。
【０００８】
本発明においては、好気性濾床槽の前段階の槽で一次的な処理を受けた廃水は、被処理水として嫌気性濾床槽の後段階の槽へ移流される。該槽内には中空截頭円錐状の多数の濾材が充填されているため、槽に流入した被処理水は均一に分散され、濾材に保持された嫌気性菌と効果的に接触する。又、濾材の夫々の濾材本体内部及び濾材同士の間隙では、被処理水中のＳＳが沈降し、そこに保持される。これによって、前段階の槽で除去できなかった細かいＳＳも除去される。被処理水に溶解している有機物は、嫌気性菌によって直接処理され、ＳＳは沈殿した後、嫌気的に分解される。このような処理によって被処理水の効率の良い処理が行なわれる。
【０００９】
本図示例によれば、多数の濾材は射出成形により製造されるため価格が安価となる。又、濾材本体の内部にはストッパが設けてあるため、濾材同士が入れ子状に嵌り合うことがなくて濾材容積が減少せず、しかも濾材にはガスが溜まる部分がないため、槽で被処理水を処理する際に発生するガスにより濾材が浮上することがない。従って、後段階の槽の性能を良好に保持することができる。
【００１０】
【発明の実施の形態】
以下、本発明の実施の形態を図示例と共に説明する。
図１〜図３は本発明を実施する形態の一例である。本図示例の濾材１１は射出成形品であって、軸線方向両端部が開口した中空截頭円錐状の濾材本体１２と、濾材本体１２の中空部内に互いに対向するよう形成された２個のストッパ１３を備えている。
【００１１】
濾材本体１２の表面にはストッパ１３と９０度角度を異ならせて、被処理水が流通し得るようにした２個の孔１４が穿設されている。又、ストッパ１３は濾材本体１２全長に亘り延在しており、図１、図３に示すようにストッパ１３の濾材本体１２内周側は濾材本体１２内周に一体的固設されており、濾材本体１２中心側端縁部は、正面視で孔１４側へ突出しないように形成されている。
【００１２】
濾材本体１２の大径部の直径Ｄ１は約５０ｍｍ、小径部の直径Ｄ２は約２５ｍｍ、長さＬは約４５ｍｍである。
【００１３】
次に、上記図示例の作動を図４を参照しつつ説明する。
上記濾材１１は図４の後段階の槽２ｂにランダムに充填される。従って、槽２ｂ内部には多数の小さな空間とＳＳを保持するための棚が存在することになる。このため、槽２ｂ内に導入された被処理水は短絡することなく効率良く分散し、ＳＳ等が効率良く除去することができる。
【００１４】
すなわち、好気性濾床槽４の前段階の槽２ａに導入された廃水１中の有機物は、比較的空隙率の高い濾材に保持されている嫌気性菌により嫌気的に分解される。このとき、濾材による固形物の捕捉除去、つまり濾過も行われる。而して、一次的な処理を受けた廃水は被処理水として、嫌気性濾床槽２の後段階の槽２ｂへ移流される。
【００１５】
槽２ｂ内には中空截頭円錐状の多数の濾材１１が充填されているため、槽２ｂに流入した被処理水は均一に分散され、濾材１１に保持された嫌気性菌と効果的に接触する。又、濾材１１の夫々の濾材本体１２内部及び濾材１１同士の間隙では、被処理水中のＳＳが沈降し、そこに保持される。これによって、前段階の槽２ａで除去できなかった細かいＳＳも除去される。被処理水中に溶解している有機物は、嫌気性菌によって直接処理され、ＳＳは沈殿した後、嫌気的に分解される。このような処理によって被処理水の効率の良い処理が行なわれる。
【００１６】
本図示例によれば、多数の濾材１１は射出成形により製造されるため価格が安価となる。又、濾材本体１２の内部にはストッパ１３が設けてあるため、濾材１１同士が入れ子状に嵌り合うことがなくて容積が減少せず、しかも濾材１１にはガスが溜まる部分がないため、槽２ｂで被処理水を処理する際に発生するガスにより濾材１１が浮上することがない。従って、槽２ｂの性能を良好に保持することができる。
【００１７】
なお、本発明の濾材は、上述の図示例にのみ限定されるものではなく、本発明の要旨を逸脱しない範囲内において種々変更を加え得ることは勿論である。
【００１８】
【発明の効果】
以上、説明したように本発明の請求項１〜３に記載の濾材によれば、価格が安価で且つ適用される槽の性能を良好に保持することができる、という優れた効果を奏し得る。
【図面の簡単な説明】
【図１】本発明の濾材の実施の形態の一例の正面図である。
【図２】図１のＩＩ−ＩＩ方向矢視図である。
【図３】図１のＩＩＩ−ＩＩＩ方向矢視図である。
【図４】嫌気性濾床槽を備えた従来の有機性廃水処理設備のフローシートである。
【図５】従来の濾材の一例の斜視図である。
【符号の説明】
１　　廃水（被処理水）
２　　嫌気性濾床槽
２ａ　　　　　　　　槽
２ｂ　　　　　　　　槽
１１　　濾材
１２　　濾材本体
１３　　ストッパ
１４　　孔
【図１】
2004050126.tif 000003
【図２】
2004050126.tif 000004
【図３】
2004050126.tif 000005
【図４】
2004050126.tif 000006
【図５】
2004050126.tif 000007